(57)【要約】【課題】液体滴の吐出状態の検査の際に、液体滴を受ける導電体の堆積物が検査精度に与える影響を小さくすることが可能な液体滴吐出検査装置等を提供する。【解決手段】（Ａ）対向状態のノズルから吐出された液体滴を受けるための導電体と、（Ｂ）帯電した液体滴の接近によって前記導電体に生じる誘導電流を検出する検出部と、（Ｃ）前記ノズルから前記液体滴を吐出する際に前記液体滴を帯電させるべく前記導電体に電圧を印加する電圧印加部と、（Ｄ）前記ノズルと前記導電体との間隔を調整するための間隔調整機構と、を備え、（Ｅ）前記導電体に受けられた液体滴に起因して前記導電体に堆積する堆積物の堆積高さが所定高さ以上になった際には、前記ノズルと前記導電体との間隔が、前記所定高さ以上になる前の間隔よりも広くした後に、前記ノズルから前記導電体へ向けて液体滴が吐出されることを特徴とする液体滴吐出検査装置。【選択図】    図２３
2007030427.tif 000002
【特許請求の範囲】
【請求項１】
（Ａ）対向状態のノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルと前記導電体との間隔を調整するための間隔調整機構と、を備え、
（Ｅ）前記導電体に受けられた液体滴に起因して前記導電体に堆積する堆積物の堆積高さが所定高さ以上になった際には、
前記所定高さ以上になる前の前記間隔よりも、前記ノズルと前記導電体との間隔が広くされた後に、前記ノズルから前記導電体へ向けて液体滴が吐出されることを特徴とする液体滴吐出検査装置。
【請求項２】
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記堆積物を崩すための液体滴が、ノズルから前記堆積物へ向けて吐出されることを特徴とする液体滴吐出検査装置。
【請求項３】
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記導電体に印加する電圧が、前記所定高さ以上になる前の電圧値よりも低くされた後に、前記導電体へ向けて液体滴が吐出されることを特徴とする液体滴吐出検査装置。
【請求項４】
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記導電体に受けられた液体滴に起因して前記導電体に堆積する堆積物の堆積高さを評価する評価部と、
（Ｅ）前記評価部によって前記堆積高さが所定高さ以上になったと判断された場合に、前記導電体のメンテナンスの実施の必要性を報知する報知部と、
（Ｆ）を備えたことを特徴とする液体滴吐出検査装置。
【請求項５】
（Ａ）ノズルから吐出された液体滴を受ける部分が、複数箇所用意された導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記液体滴を受ける部分が、前記複数箇所のなかで、堆積物の堆積高さが前記所定高さよりも低い部分に変更されることを特徴とする液体滴吐出検査装置。
【請求項６】
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルからの液体滴の吐出状態を検査すべく、前記ノズルから前記液体滴を所定の周波数で連続吐出させるための信号を発生するコントローラと、を備え、
（Ｅ）前記導電体に受けられた液体滴に起因して前記導電体に堆積する堆積物の堆積高さが所定高さになった際には、
前記コントローラは、前記所定高さ以上になる前の周波数よりも低い周波数で液体滴を吐出する信号を発生することを特徴とする液体滴吐出検査装置。
【請求項７】
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記導電体に受けられた液体滴に起因して前記導電体に堆積する堆積物の堆積高さを評価する評価部と、
（Ｅ）前記検出部によって検出された誘導電流の大きさを、所定の判定閾値と比較することによって、ノズルの吐出異常を判定する判定部と、を備え、
（Ｆ）前記評価部によって前記堆積高さが所定高さ以上になったと判断された場合には、
前記判定部は、前記所定高さ以上になる前の判定閾値よりも判定閾値を高くすることを特徴とする液体滴吐出検査装置。
【請求項８】
（Ａ）対向状態のノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルからの液体滴の吐出状態を検査すべく、前記ノズルから前記液体滴を所定周波数で連続吐出させるための信号を発生するコントローラと、を備え、
（Ｅ）前記導電体に受けられた液体滴に起因して前記導電体に堆積する堆積物の堆積高さが所定高さ以上になった際には、
前記コントローラは、前記所定高さ以上になる前の液体滴よりも小さいサイズの液体滴を吐出する信号を発生することを特徴とする液体滴吐出検査装置。
【請求項９】
請求項１乃至８のいずれかに記載の液体滴吐出検査装置において、
前記導電体に受けられた液体滴に起因して前記導電体に堆積する堆積物の堆積高さを評価する評価部を備え、
前記評価部は、前記検出部によって検出された誘導電流の大きさが、所定の閾値以上の場合には、前記堆積高さが所定高さ以上になったと判断することを特徴とする液体滴吐出検査装置。
【請求項１０】
請求項１乃至９のいずれかに記載の液体滴吐出検査装置において、
前記導電体は、前記ノズルから吐出された液体滴を受けるための面を前記ノズルに対向させながら、不導体からなる有底容器に収容されていることを特徴とする液体滴吐出検査装置。
【請求項１１】
請求項１０に記載の液体滴吐出検査装置において、
前記導電体は海綿状の多孔質体であることを特徴とする液体滴吐出検査装置。
【請求項１２】
請求項１乃至１１のいずれかに記載の液体滴吐出検査装置において、
前記液体は、少なくとも水を溶媒として含み該溶媒に染料又は顔料を含有するインクであることを特徴とする液体滴吐出検査装置。
【請求項１３】
請求項１乃至１２のいずれかに記載の液体滴吐出検査装置を備えた液体滴吐出装置であって、
前記ノズルが媒体に対して液体滴を吐出することを特徴とする液体滴吐出装置。
【請求項１４】
請求項１乃至１２のいずれかに記載の液体滴吐出検査装置を備えた液体滴吐出システムであって、
コンピュータ本体と、
前記コンピュータ本体に接続可能で、前記ノズルが媒体に対して液体滴を吐出する液体滴吐出装置と、を備えたことを特徴とする液体滴吐出システム。
【発明の詳細な説明】
【技術分野】
【０００１】
本発明は、ノズルからの液体滴の吐出状態の検査をする液体滴吐出検査装置、液体滴吐出装置、及び、液体滴吐出システムに関する。
【背景技術】
【０００２】
液体滴吐出装置として、紙や布、フィルムなどの各種媒体に対してインク滴（液体滴に相当）を吐出して印刷を行うインクジェットプリンタが知られている。このインクジェットプリンタは、シアン（Ｃ）やマゼンダ（Ｍ）、イエロ（Ｙ）、ブラック（Ｋ）等といった各色のインク滴をノズルから吐出して媒体上にドットを形成して画像を印刷するものである。
【０００３】
このようなインクジェットプリンタにあっては、インクの固着などによってノズルに目詰まりを生じ、インク滴が正常に吐出されないことがある。そして、その場合には、媒体上にきちんとドットを形成できずに綺麗な印刷を行えなくなる。  
そこで、インク滴の吐出状態の検査方法が色々と提案されており、その一例として、インク滴の吐出を光学的に検査する方法がある（特許文献１を参照。）。
【特許文献１】特開２０００−２３３５２０号公報
【発明の開示】
【発明が解決しようとする課題】
【０００４】
しかし、この方法では光学センサ等の高価な部品を用いる関係上、コストアップが必至である。このため、現在、安価な部品で対応可能な電気的方法が検討されている。
【０００５】
この電気的方法とは、ノズルから導電体に向けて帯電したインク滴を吐出し、このインク滴の接近によって前記導電体に生じる誘導電流の検出の有無からインク滴の吐出状態を判定するというものである。そして、インク滴の帯電処理は、導電体に電圧を印加し、これによってノズルとの間に形成される電界によって吐出前にインクを分極させることで行われる。
【０００６】
但し、導電体に所定電圧を印加しても、前記ノズルと前記導電体との間隔が変化すると、前記電界の変化を通してインク滴の帯電量に変化を来たし、その結果、誘導電流の大きさも変化してしまい、吐出状態を正しく検査できなくなってしまう。従って、検査精度の観点からは、ノズルと導電体との間隔の管理が重要となる。
【０００７】
この間隔の変動要因としては、導電体に堆積する堆積物が挙げられる。すなわち、この導電体はインク滴を受けるためにインク中の染料や顔料等の固形成分が徐々に堆積する一方、この堆積物はインクの溶媒によって濡れると導電性を示す。このため、堆積物が生じるとその高さ分だけノズルとの間隔を実質的に狭めてしまうことになる。
【０００８】
本発明は、このような事情に鑑みたものであって、その目的は、液体滴の吐出状態の検査の際に、液体滴を受ける導電体の堆積物が検査精度に与える影響を小さくすることが可能な液体滴吐出検査装置等を提供することを目的とする。
【課題を解決するための手段】
【０００９】
前記目的を達成するための主たる発明は、
（Ａ）対向状態のノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルと前記導電体との間隔を調整するための間隔調整機構と、を備え、
（Ｅ）前記導電体に受けられた液体滴に起因して前記導電体に堆積する堆積物の堆積高さが所定高さ以上になった際には、
前記所定高さ以上になる前の前記間隔よりも、前記ノズルと前記導電体との間隔が広くされた後に、前記ノズルから前記導電体へ向けて液体滴が吐出されることを特徴とする液体滴吐出検査装置である。
【００１０】
また、前記目的を達成するためのその他の主たる発明は、
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記堆積物を崩すための液体滴が、ノズルから前記堆積物へ向けて吐出されることを特徴とする液体滴吐出検査装置である。
【００１１】
また、前記目的を達成するためのその他の主たる発明は、
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記導電体に印加する電圧が、前記所定高さ以上になる前の電圧値よりも低くされた後に、前記導電体へ向けて液体滴が吐出されることを特徴とする液体滴吐出検査装置である。
【００１２】
また、前記目的を達成するためのその他の主たる発明は、
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記導電体に受けられた液体滴に起因して前記導電体に堆積する堆積物の堆積高さを評価する評価部と、
（Ｅ）前記評価部によって前記堆積高さが所定高さ以上になったと判断された場合に、前記導電体のメンテナンスの実施の必要性を報知する報知部と、
（Ｆ）を備えたことを特徴とする液体滴吐出検査装置である。
【００１３】
また、前記目的を達成するためのその他の主たる発明は、
（Ａ）ノズルから吐出された液体滴を受ける部分が、複数箇所用意された導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記液体滴を受ける部分が、前記複数箇所のなかで、堆積物の堆積高さが前記所定高さよりも低い部分に変更されることを特徴とする液体滴吐出検査装置である。
【００１４】
また、前記目的を達成するためのその他の主たる発明は、
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルからの液体滴の吐出状態を検査すべく、前記ノズルから前記液体滴を所定の周波数で連続吐出させるための信号を発生するコントローラと、を備え、
（Ｅ）前記導電体に受けられた液体滴に起因して前記導電体に堆積する堆積物の堆積高さが所定高さになった際には、
前記コントローラは、前記所定高さ以上になる前の周波数よりも低い周波数で液体滴を吐出する信号を発生することを特徴とする液体滴吐出検査装置である。
【００１５】
また、前記目的を達成するためのその他の主たる発明は、
（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記導電体に受けられた液体滴に起因して前記導電体に堆積する堆積物の堆積高さを評価する評価部と、
（Ｅ）前記検出部によって検出された誘導電流の大きさを、所定の判定閾値と比較することによって、ノズルの吐出異常を判定する判定部と、を備え、
（Ｆ）前記評価部によって前記堆積高さが所定高さ以上になったと判断された場合には、
前記判定部は、前記所定高さ以上になる前の判定閾値よりも判定閾値を高くすることを特徴とする液体滴吐出検査装置である。
【００１６】
また、前記目的を達成するためのその他の主たる発明は、
（Ａ）対向状態のノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルからの液体滴の吐出状態を検査すべく、前記ノズルから前記液体滴を所定周波数で連続吐出させるための信号を発生するコントローラと、を備え、
（Ｅ）前記導電体に受けられた液体滴に起因して前記導電体に堆積する堆積物の堆積高さが所定高さ以上になった際には、
前記コントローラは、前記所定高さ以上になる前の液体滴よりも小さいサイズの液体滴を吐出する信号を発生することを特徴とする液体滴吐出検査装置である。
【００１７】
本発明の他の特徴は、本明細書及び添付図面の記載により明らかにする。
【発明を実施するための最良の形態】
【００１８】
本明細書及び添付図面の記載により、少なくとも以下の事項が明らかとなる。
【００１９】
（Ａ）対向状態のノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルと前記導電体との間隔を調整するための間隔調整機構と、を備え、
（Ｅ）前記導電体に受けられた液体滴に起因して前記導電体に堆積する堆積物の堆積高さが所定高さ以上になった際には、
前記所定高さ以上になる前の前記間隔よりも、前記ノズルと前記導電体との間隔が広くされた後に、前記ノズルから前記導電体へ向けて液体滴が吐出されることを特徴とする液体滴吐出検査装置。  
このような液体滴吐出検査装置によれば、堆積高さが所定高さ以上になる前の前記間隔よりも、前記ノズルと前記導電体との間隔が広くされた後に、前記ノズルから前記導電体へ向けて液体滴が吐出されて吐出状態の検査が行われる。従って、前記間隔を狭くする堆積物の検査精度への影響を小さくすることができる。
【００２０】
また、（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記堆積物を崩すための液体滴が、ノズルから前記堆積物へ向けて吐出されることを特徴とする液体滴吐出検査装置。  
このような液体滴吐出検査装置によれば、堆積高さが所定高さ以上になった際には、堆積物を崩すための液体滴がノズルから前記堆積物へ向けて吐出されて、これを崩す。従って、前記間隔を狭くする堆積物の検査精度への影響を小さくすることができる。
【００２１】
また、（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記導電体に印加する電圧が、前記所定高さ以上になる前の電圧値よりも低くされた後に、前記導電体へ向けて液体滴が吐出されることを特徴とする液体滴吐出検査装置。  
このような液体滴吐出検査装置によれば、堆積高さが所定高さ以上になった際には、前記導電体に印加する電圧が、前記所定高さ以上になる前の電圧値よりも低くされた後に、前記ノズルから前記導電体へ向けて液体滴が吐出されて吐出状態の検査が行われる。従って、前記間隔を狭くする堆積物の検査精度への影響を小さくすることができる。
【００２２】
また、（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記導電体に受けられた液体滴に起因して前記導電体に堆積する堆積物の堆積高さを評価する評価部と、
（Ｅ）前記評価部によって前記堆積高さが所定高さ以上になったと判断された場合に、前記導電体のメンテナンスの実施の必要性を報知する報知部と、
（Ｆ）を備えたことを特徴とする液体滴吐出検査装置。  
このような液体滴吐出検査装置によれば、堆積高さが所定高さ以上になったと判断された場合には、報知部はメンテナンスの実施の必要性をユーザに報知し、ユーザは、前記導電体のメンテナンスを行う。従って、前記間隔を狭くする堆積物の検査精度への影響を小さくすることができる。
【００２３】
また、（Ａ）ノズルから吐出された液体滴を受ける部分が、複数箇所用意された導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、を備え、
（Ｄ）前記導電体に受けられた液体滴に起因して前記導電体に堆積する堆積物の堆積高さが所定高さ以上になった際には、
前記液体滴を受ける部分が、前記複数箇所のなかで、堆積物の堆積高さが前記所定高さよりも低い部分に変更されることを特徴とする液体滴吐出検査装置。  
このような液体滴吐出検査装置によれば、堆積高さが所定高さ以上になった際には、液体滴を受ける部分が、前記所定高さよりも堆積高さが低い部分に変更される。従って、前記間隔を狭くする堆積物の検査精度への影響を小さくすることができる。
【００２４】
また、（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルからの液体滴の吐出状態を検査すべく、前記ノズルから前記液体滴を所定の周波数で連続吐出させるための信号を発生するコントローラと、を備え、
（Ｅ）前記導電体に受けられた液体滴に起因して前記導電体に堆積する堆積物の堆積高さが所定高さになった際には、
前記コントローラは、前記所定高さ以上になる前の周波数よりも低い周波数で液体滴を吐出する信号を発生することを特徴とする液体滴吐出検査装置。  
このような液体滴吐出検査装置によれば、堆積高さが所定高さになった際には、前記所定高さ以上になる前の周波数よりも低い周波数で、前記導電体へ向けて液体滴が吐出されて吐出状態の検査が行われる。従って、前記間隔を狭くする堆積物の検査精度への影響を小さくすることができる。
【００２５】
また、（Ａ）ノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記導電体に受けられた液体滴に起因して前記導電体に堆積する堆積物の堆積高さを評価する評価部と、
（Ｅ）前記検出部によって検出された誘導電流の大きさを、所定の判定閾値と比較することによって、ノズルの吐出異常を判定する判定部と、を備え、
（Ｆ）前記評価部によって前記堆積高さが所定高さ以上になったと判断された場合には、
前記判定部は、前記所定高さ以上になる前の判定閾値よりも判定閾値を高くすることを特徴とする液体滴吐出検査装置。  
このような液体滴吐出検査装置によれば、堆積高さが所定高さ以上になったと判断された場合には、前記所定高さ以上になる前の判定閾値よりも判定閾値は高くされて、吐出状態の検査が行われる。従って、前記間隔を狭くする堆積物の検査精度への影響を小さくすることができる。
【００２６】
また、（Ａ）対向状態のノズルから吐出された液体滴を受けるための導電体と、
（Ｂ）帯電した液体滴の接近によって前記導電体に生じる誘導電流を検出する検出部と、
（Ｃ）前記ノズルから前記液体滴を吐出する際に前記液体滴を帯電させるべく前記導電体に電圧を印加する電圧印加部と、
（Ｄ）前記ノズルからの液体滴の吐出状態を検査すべく、前記ノズルから前記液体滴を所定周波数で連続吐出させるための信号を発生するコントローラと、を備え、
（Ｅ）前記導電体に受けられた液体滴に起因して前記導電体に堆積する堆積物の堆積高さが所定高さ以上になった際には、
前記コントローラは、前記所定高さ以上になる前の液体滴よりも小さいサイズの液体滴を吐出する信号を発生することを特徴とする液体滴吐出検査装置。  
このような液体滴吐出検査装置によれば、堆積高さが所定高さ以上になった際には、前記所定高さ以上になる前の液体滴よりも小さいサイズの液体滴を吐出して、吐出状態の検査を行う。従って、前記間隔を狭くする堆積物の検査精度への影響を小さくすることができる。
【００２７】
かかる液体滴吐出検査装置において、
前記導電体に受けられた液体滴に起因して前記導電体に堆積する堆積物の堆積高さを評価する評価部を備え、
前記評価部は、前記検出部によって検出された誘導電流の大きさが、所定の閾値以上の場合には、前記堆積高さが所定高さ以上になったと判断することを特徴とするのが望ましい。  
このような液体滴吐出検査装置によれば、堆積高さが所定高さ以上になったことを容易に把握できる。
【００２８】
かかる液体滴吐出検査装置において、
前記導電体は、前記ノズルから吐出された液体滴を受けるための面を前記ノズルに対向させながら、不導体からなる有底容器に収容されているのが望ましい。  
このような液体滴吐出検査装置によれば、有底容器に収容された導電体の印加電圧に基づく漏電を、前記有底容器によって確実に阻止することができる。よって、導電体からの漏電による電圧降下に起因して誘導電流に基づく吐出状態の検査精度が悪くなるのを防ぐことができる。
【００２９】
かかる液体滴吐出検査装置において、
前記導電体は海綿状の多孔質体であるのが望ましい。  
このような液体滴吐出検査装置によれば、海面状の多孔質体であることから、吸液性に優れ、前記面に液体が滞留することを可及的に防ぐことができる。その結果、前記液体中の染料や顔料等の固形成分が前記面に堆積することも有効に抑制され、もって、ノズルとの間隔を狭める堆積物の堆積速度を遅くすることができる。
【００３０】
かかる液体滴吐出検査装置において、
前記液体は、少なくとも水を溶媒として含み該溶媒に染料又は顔料を含有するインクであるのが望ましい。  
このような液体滴吐出検査装置によれば、染料又は顔料に起因して、前記導電体には堆積物が堆積するため、上述の作用効果を享受することができる。
【００３１】
また、上述の液体滴吐出検査装置を備えた液体滴吐出装置であって、
前記ノズルが媒体に対して液体滴を吐出することを特徴とする液体滴吐出装置の実現も可能である。
【００３２】
また、上述の液体滴吐出検査装置を備えた液体滴吐出システムであって、
コンピュータ本体と、
前記コンピュータ本体に接続可能で、前記ノズルが媒体に対して液体滴を吐出する液体滴吐出装置と、を備えたことを特徴とする液体滴吐出システムの実現も可能である。
【００３３】
＝＝＝液体滴吐出装置の概要＝＝＝
以下、本発明に係る液体滴吐出装置の実施形態について、インクジェットプリンタ１を例に説明する。
【００３４】
＜液体滴吐出装置＞
図１乃至図４にプリンタ１の説明図を示す。図１はプリンタ１の外観斜視図である。図２はプリンタ１の内部構成を示す図である。図３はプリンタ１の搬送部を示す断面図である。図４はプリンタ１のシステム構成を示すブロック図である。
【００３５】
このインクジェットプリンタ１は、図１に示すように、背面から供給された紙等の媒体Ｓを前面から排出する構造を備えており、その前面部には操作パネル２および排紙部３が設けられ、その背面部には給紙部４が設けられている。操作パネル２には、各種操作ボタン５および表示ランプ６が設けられている。また、排紙部３には、不使用時に排紙口を塞ぐ排紙トレー７が設けられている。給紙部４には、カット紙（図示しない）を保持する給紙トレー８が設けられている。なお、インクジェットプリンタ１は、カット紙など単票状の紙のみならず、ロール紙などの連続紙にも印刷できるような給紙構造を備えていても良い。
【００３６】
このプリンタ１の内部には、図２に示すように、キャリッジ４１が、所定の方向（以下、キャリッジ移動方向と言う）に沿って相対的に移動可能に設けられている。キャリッジ４１の周辺には、キャリッジモータ４２と、プーリ４４と、タイミングベルト４５と、ガイドレール４６と、が設けられている。キャリッジモータ４２は、ＤＣモータなどにより構成され、キャリッジ４１をキャリッジ移動方向に沿って相対的に移動させるための駆動源として機能する。また、タイミングベルト４５は、プーリ４４を介してキャリッジモータ４２に接続されるとともに、その一部がキャリッジ４１に接続され、キャリッジモータ４２の回転駆動によってキャリッジ４１をキャリッジ移動方向に沿って相対的に移動させる。ガイドレール４６は、キャリッジ４１をキャリッジ移動方向に沿って案内する。
【００３７】
この他に、キャリッジ４１の周辺には、キャリッジ４１の位置を検出するリニア式エンコーダ５１と、媒体Ｓをキャリッジ移動方向と直交する方向に沿って搬送するための搬送ローラ１７Ａと、この搬送ローラ１７Ａを回転駆動させる紙送りモータ１５とが設けられている。
【００３８】
一方、キャリッジ４１には、各種インク（溶媒としての水の中に、着色成分としての顔料又は染料を含有したもの）を収容したインクカートリッジ４８と、媒体Ｓに対して印刷を行うヘッド２１とが設けられている。インクカートリッジ４８は、例えば、イエロ（Ｙ）やマゼンダ（Ｍ）、シアン（Ｃ）、ブラック（Ｋ）などの各色のインクを収容しており、キャリッジ４１に設けられたカートリッジ装着部に着脱可能に装着されている。ヘッド２１は、インク滴を吐出するための多数のノズルｎを備え、媒体Ｓに対してインク滴を吐出して印刷を施す。ヘッド２１のインク滴の吐出機構については後述する。
【００３９】
この他に、このインクジェットプリンタ１の内部には、ヘッド２１のノズルｎの目詰まりを解消するためのクリーニングユニット３０が設けられている。クリーニングユニット３０は、ポンプ装置３１とキャッピング装置３５とを有する。ポンプ装置３１は、ヘッド２１のノズルｎの目詰まりを解消するために、ノズルｎからインクを吸い出す装置であり、ポンプモータ（不図示）により作動する。一方、キャッピング装置３５は、インクの乾燥によるノズルｎの目詰まりを防止すべく、待機時などの非印刷時にヘッド２１のノズルｎを封止する。
【００４０】
次にインクジェットプリンタ１の搬送部の構成について説明する。この搬送部は、図３に示すように、紙挿入口１１Ａ及びロール紙挿入口１１Ｂと、給紙モータ（不図示）と、給紙ローラ１３と、プラテン１４と、紙送りモータ１５と、搬送ローラ１７Ａと排紙ローラ１７Ｂと、フリーローラ１８Ａとフリーローラ１８Ｂとを有する。
【００４１】
紙挿入口１１Ａは、媒体である紙Ｓを挿入するところである。給紙モータ（不図示）は、紙挿入口１１Ａに挿入された紙Ｓをプリンタ１内に搬送するモータであり、パルスモータ等で構成される。給紙ローラ１３は、紙挿入口１１Ａに挿入された媒体Ｓを図中矢印Ａ方向（ロール紙の場合は矢印Ｂ方向）にプリンタ１の内部に自動的に搬送するローラであり、給紙モータによって駆動される。給紙ローラ１３は、略Ｄ形の横断面形状を有している。給紙ローラ１３の円周部分の周囲長さは、紙送りモータ１５までの搬送距離よりも長く設定されているので、この円周部分を用いて媒体Ｓを紙送りモータ１５まで搬送できる。なお、給紙ローラ１３の回転駆動力と分離パッド（不図示）の摩擦抵抗とによって、複数の媒体Ｓが一度に給紙されることを防いでいる。
【００４２】
プラテン１４は、印刷中の紙Ｓを支持する支持部材である。紙送りモータ１５は、媒体Ｓである例えば紙を搬送方向に送り出すモータであり、ＤＣモータで構成される。搬送ローラ１７Ａは、給紙ローラ１３によってプリンタ１内に搬送された紙Ｓを印刷可能な領域まで送り出すローラであり、紙送りモータ１５によって駆動される。フリーローラ１８Ａは、搬送ローラ１７Ａと対向する位置に設けられ、紙Ｓを搬送ローラ１７Ａとの間に挟むことによって紙Ｓを搬送ローラ１７Ａに向かって押さえる。
【００４３】
排紙ローラ１７Ｂは、印刷が終了した紙Ｓをプリンタ１の外部に排出するローラである。排紙ローラ１７Ｂは、不図示の歯車により、紙送りモータ１５によって駆動される。フリーローラ１８Ｂは、排紙ローラ１７Ｂと対向する位置に設けられ、紙Ｓを排紙ローラ１７Ｂとの間に挟むことによって紙Ｓを排紙ローラ１７Ｂに向かって押さえる。
【００４４】
＜システム構成＞
次にインクジェットプリンタ１のシステム構成について説明する。このインクジェットプリンタ１は、図４に示すように、バッファメモリ１２２と、イメージバッファ１２４と、システムコントローラ１２６と、メインメモリ１２７と、ＥＥＰＲＯＭ１２９とを備えている。バッファメモリ１２２は、ホストコンピュータ１４０から送信された印刷データ等の各種データを受信して一時的に記憶する。また、イメージバッファ１２４は、受信した印刷データをバッファメモリ１２２より取得して格納する。また、メインメモリ１２７は、ＲＯＭやＲＡＭなどにより構成される。
【００４５】
一方、システムコントローラ１２６は、メインメモリ１２７から制御用プログラムを読み出して、当該制御用プログラムに従ってプリンタ１全体の制御を行う。本実施形態のシステムコントローラ１２６は、キャリッジモータ制御部１２８と、搬送制御部１３０と、ヘッド駆動部１３２（コントローラに相当）と、ロータリ式エンコーダ１３４と、リニア式エンコーダ５１とを従えている。キャリッジモータ制御部１２８は、キャリッジモータ４２の回転方向や回転数、トルクなどを駆動制御する。また、ヘッド駆動部１３２は、ヘッド２１の駆動制御を行う。搬送制御部１３０は、搬送ローラ１７Ａを回転駆動する紙送りモータ１５など、搬送系に配置された各種駆動モータを制御する。
【００４６】
ホストコンピュータ１４０から送られてきた印刷データは、一旦、バッファメモリ１２２に蓄えられる。ここで蓄えられた印刷データは、その中から必要な情報がシステムコントローラ１２６により読み出される。システムコントローラ１２６は、その読み出した情報に基づき、リニア式エンコーダ５１やロータリ式エンコーダ１３４からの出力を参照しながら、制御用プログラムに従って、キャリッジモータ制御部１２８や搬送制御部１３０、ヘッド駆動部１３２を各々制御する。
【００４７】
イメージバッファ１２４には、バッファメモリ１２２に受信された複数の色成分の印刷データが格納される。ヘッド駆動部１３２は、システムコントローラ１２６からの制御信号に従って、イメージバッファ１２４から各色成分の印刷データを取得し、この印刷データに基づきヘッド２１に設けられた各色のノズルｎを駆動制御する。
【００４８】
なお、本実施形態にかかるインクジェットプリンタ１にあっては、これらの他に、プラテン１４とノズルｎとの間隔ＰＧを調整するためのＰＧ調整機構９０や、液体滴吐出検査装置６０（８０，８０ａ）を備えており、これについては後述する。
【００４９】
＜ヘッド２１＞
図５は、ヘッド２１の下面に設けられたノズルｎの配列図である。ヘッド２１の下面には、イエロ（Ｙ）、マゼンタ（Ｍ）、シアン（Ｃ）、ブラック（Ｋ）の色毎にそれぞれ複数のノズルｎ（♯１）〜ｎ（♯１８０）からなるノズル列２１１が設けられている。  
各ノズル列２１１の各ノズルｎ（♯１）〜ｎ（♯１８０）は、紙Ｓの搬送方向に沿って直線状に配列されている。各ノズル列２１１は、キャリッジ移動方向に沿って相互に間隔をあけて平行に配置されている。各ノズルｎには、インク滴を吐出するための駆動素子としてピエゾ素子（不図示）が設けられている。  
ピエゾ素子は、その両端に設けられた電極間に所定時間幅の電圧を印加すると、電圧の印加時間に応じて伸張し、インクの流路の側壁を変形させる。これによって、インクの流路の体積がピエゾ素子の伸縮に応じて収縮し、この収縮分に相当するインクが、インク滴となって各色の各ノズルｎから吐出される。
【００５０】
図６は、ノズルｎ（♯１）〜ｎ（♯１８０）の駆動回路２２０の説明図である。この駆動回路２２０は、前記ヘッド駆動部１３２に設けられ、原駆動信号発生部２２１と複数のマスク回路２２２とを備えている。原駆動信号発生部２２１は、各ノズルｎに共通して用いられる原信号ＯＤＲＶを生成する。この原信号ＯＤＲＶは、一画素分の区間内（キャリッジ４１が一画素の間隔を横切る時間内）において、図中下部に示すように、第１パルスＰ１と第２パルスＰ２の２つのパルスを含む信号である。原駆動信号発生部２２１で生成された原信号ＯＤＲＶは、各マスク回路２２２に出力される。
【００５１】
マスク回路２２２は、ヘッド２１の各ノズルｎをそれぞれ駆動する複数のピエゾ素子に対応して設けられている。各マスク回路２２２には、原駆動信号発生部２２１から原信号ＯＤＲＶが入力されるとともに、前記印刷データに基づいて印刷信号ＰＲＴ（ｉ）が入力される。この印刷信号ＰＲＴ（ｉ）は、画素に対応する画素データであり、一画素に対して２ビットの情報を有する２値信号である。その各ビットは、それぞれ第１パルスＰ１と第２パルスＰ２とに対応している。マスク回路２２２は、印刷信号ＰＲＴ（ｉ）のレベルに応じて、原信号ＯＤＲＶを遮断したり通過させたりするためのゲートである。すなわち、印刷信号ＰＲＴ（ｉ）がレベル『０』のときには、原信号ＯＤＲＶのパルスを遮断する一方、印刷信号ＰＲＴ（ｉ）がレベル『１』のときには、原信号ＯＤＲＶの対応するパルスをそのまま通過させて駆動信号ＤＲＶとして、各ノズルｎのピエゾ素子に向けて出力する。各ノズルｎのピエゾ素子は、マスク回路２２２からの駆動信号ＤＲＶに基づき駆動してインク滴の吐出を行う。
【００５２】
図７は、原駆動信号発生部２２１の動作を示す原信号ＯＤＲＶ、印刷信号ＰＲＴ（ｉ）、駆動信号ＤＲＶ（ｉ）のタイミングチャートである。原信号ＯＤＲＶは、各画素区間Ｔ１、Ｔ２、Ｔ３、Ｔ４において、第１パルスＰ１と第２パルスＰ２とを順に発生する。なお、画素区間とは、一画素分のキャリッジ４１の移動区間と同じ意味である。
【００５３】
ここで、印刷信号ＰＲＴ（ｉ）が２ビットの画素データ『１０』に対応しているとき、第１パルスＰ１のみが一画素区間の前半で出力される。これにより、ノズルｎから小サイズのインク滴が吐出され、媒体Ｓには小さいドット（小ドット）が形成される。また、印刷信号ＰＲＴ（ｉ）が２ビットの画素データ『０１』に対応しているとき、第２パルスＰ２のみが一画素区間の後半で出力される。これにより、ノズルｎから中サイズのインク滴が吐出され、媒体Ｓには、中サイズのドット（中ドット）が形成される。また、印刷信号ＰＲＴ（ｉ）が２ビットの画素データ『１１』に対応しているとき、第１パルスＰ１と第２パルスＰ２とが一画素区間で出力される。これにより、ノズルｎから大サイズのインク滴が吐出され、媒体Ｓには、大きいサイズのドット（大ドット）が形成される。以上説明したとおり、一画素区間における駆動信号ＤＲＶ（ｉ）は、印刷信号ＰＲＴ（ｉ）の３つの異なる値に応じて互いに異なる３種類の波形を有するように整形され、これらの信号に基づいてヘッド２１は、３種類のサイズのドットを形成し、また画素区間内のインクの吐出量を調整することが可能である。また、画素区間Ｔ４のように、印刷信号ＰＲＴ（ｉ）が２ビットの画素データ『００』に対応しているときには、ノズルｎからインク滴が吐出されず、媒体Ｓには、ドットが形成されないことになる。
【００５４】
本実施形態に係るインクジェットプリンタ１では、このようなノズルｎ（♯１）〜ｎ（♯１８０）の駆動回路２２０が、ノズル列２１１毎、即ち、イエロ（Ｙ）、マゼンタ（Ｍ）、シアン（Ｃ）、ブラック（Ｋ）の色毎に各々個別に設けられ、各ノズル列２１１の各ノズルｎ（♯１）〜ｎ（＃１８０）ごとに個別にピエゾ素子の駆動が行われるようになっている。
【００５５】
なお、後述の液体滴吐出検査装置６０を用いてインク滴の吐出状態の検査を行う際には、上述のヘッド駆動部１３２は、印刷データ無しに、システムコントローラ１２６からの制御に従って駆動信号ＤＲＶを生成し、ノズルｎにインク滴を吐出させる。すなわち、検査用インク滴の吐出周波数を規定する吐出周波数情報、及び、そのインク滴のサイズを規定する検査用インク滴サイズ情報が前記システムコントローラ１２６から送られると、前記原駆動信号発生部２２２は、前記吐出周波数で前記パルスＰ１，Ｐ２が形成された原信号ＯＤＲＶを生成するとともに、前記マスク回路２２２は、前記検査用インク滴サイズ情報に基づいて、原信号ＯＤＲＶのパルスＰ１，Ｐ２を通過又は遮断して駆動信号ＤＲＶを生成する。そして、この駆動信号ＤＲＶに基づいて、ノズルｎのピエゾ素子が駆動して、ノズルｎからは前記サイズのインク滴が前記吐出周波数で吐出される。これら吐出周波数情報、及び、検査用インク滴サイズ情報はＥＥＰＲＯＭ１２９に格納されている。
【００５６】
＜ＰＧ調整機構９０＞
図８乃至図１１はＰＧ調整機構９０の説明図である。図８は駆動伝達部９２の周辺の斜視図であり、図９は駆動伝達部９２のギアの噛み合い状態を示す側面図である。また、図１０はガイドレール４６を上下昇降させる機構の斜視図であり、図１１はＰＧ変更カム９４周辺の構造の正面図である。
【００５７】
ＰＧ調整機構９０は、キャリッジ４１のガイドレール４６を上下昇降させることにより、ヘッド２１とプラテン１４とのギャップＰＧを変更するものであり、モータ９１と、駆動伝達部９２と、ガイドレール４６と、ＰＧ変更カム９４と、固定ピン９５と、案内溝９６とを有する。
【００５８】
モータ９１は、ヘッド２１とプラテン１４とのギャップＰＧを変更するために必要な駆動力を発生する。このモータ９１の駆動力は、駆動伝達部９２へ供給される。駆動伝達部９２は、複数の歯車を有する。この駆動伝達部９２は、ガイドレールギア９３まで駆動力を伝達する。ガイドレールギア９３の中心には、ガイドレール４６が回転自由に支持されている。また、ガイドレールギア９３には、ＰＧ変更カム９４が固定されている。そのため、ガイドレールギア９３が駆動伝達部９２からの駆動力によって回転すると、ＰＧ変更カム９４が一緒に回転する。但し、ガイドレール４６はガイドレールギア９３と回転自由であるため、ガイドレール４６は回転しない。ＰＧ変更カム９４の外周面は、固定ピン９５と接触している。そして、この固定ピン９５は、ＰＧ変更カム９４のカムフォロアとして機能する。案内溝９６は、ガイドレール４６を上下方向に案内する。このため、ガイドレール４６が外部から力を受けても、水平方向への移動は規制されている。
【００５９】
モータ９１が駆動すると、駆動伝達部９２を介して、ガイドレールギア９３が回転する。ガイドレールギア９３が回転すると、ＰＧ変更カム９４が回転し、ＰＧ変更カム９４の外周面と固定ピン９５との作用により、ガイドレール４６に力が加わる。そして、ガイドレール４６は、案内溝９６に案内されて、上下方向に移動する。ガイドレール４６が上下方向に移動した結果、ガイドレール４６に支持されるキャリッジ４１も上下方向に移動する。これにより、ヘッド２１とプラテン１４とのギャップＰＧが変更される。
【００６０】
＝＝＝印刷動作＝＝＝
次に前述したインクジェットプリンタ１の印刷動作について説明する。ここでは、「双方向印刷」を例に説明する。図１２は、インクジェットプリンタ１の印刷動作の処理手順の一例を示したフローチャートである。以下で説明される各処理は、システムコントローラ１２６が、メインメモリ１２７又はＥＥＰＲＯＭ１２９に格納されたプログラムを読み出して、当該プログラムに従って、各ユニットを制御することにより実行される。
【００６１】
システムコントローラ１２６は、ホストコンピュータ１４０から印刷データを受信すると、その印刷データに基づき印刷を実行すべく、まず、給紙処理を行う（Ｓ１０２）。給紙処理は、印刷しようとする媒体Ｓ、ここでは紙Ｓをプリンタ１内に供給し、印刷開始位置（頭出し位置とも言う）まで搬送する処理である。システムコントローラ１２６は、給紙ローラ１３を回転させて、印刷しようとする紙Ｓを搬送ローラ１７Ａまで送る。システムコントローラ１２６は、搬送ローラ１７Ａを回転させて、給紙ローラ１３から送られてきた紙Ｓを印刷開始位置に位置決めする。
【００６２】
次に、システムコントローラ１２６は、キャリッジ４１を紙Ｓに対して相対的に移動させて紙Ｓに対して印刷を施す印刷処理を実行する。ここでは、まず、キャリッジ４１をガイドレール４６に沿って一の方向に向かって移動させながら、ヘッド２１からインク滴を吐出する往路印刷を実行する（Ｓ１０４）。システムコントローラ１２６は、キャリッジモータ４２を駆動してキャリッジ４１を移動させるとともに、印刷データに基づきヘッド２１を駆動してインク滴を吐出する。ヘッド２１から吐出されたインク滴は、紙Ｓに到達しドットが形成される。
【００６３】
このようにして印刷を行った後、次に、紙Ｓを所定量だけ搬送する搬送処理を実行する（Ｓ１０６）。この搬送処理では、システムコントローラ１２６は、紙送りモータ１５を駆動して搬送ローラ１７Ａを回転させて、紙Ｓをヘッド２１に対して相対的に搬送方向に所定量だけ搬送する。この搬送処理により、ヘッド２１は、先ほどの印刷した領域とは異なる領域に印刷をすることが可能になる。
【００６４】
このようにして搬送処理を行った後、排紙すべきか否か排紙判断を実行する（Ｓ１０８）。ここで、印刷中の紙Ｓに印刷すべき他のデータがなければ、排紙処理を実行する（Ｓ１１６）。一方、印刷すべき他のデータがあれば、排紙処理は行わずに、復路印刷を実行する（Ｓ１１０）。この復路印刷は、キャリッジ４１をガイドレール４６に沿って先ほどの往路印刷とは反対の方向に移動させて印刷を行う。ここでも、システムコントローラ１２６は、キャリッジモータ４２を先ほどとは逆に回転駆動させてキャリッジ４１を移動させるとともに、印刷データに基づきヘッド２１を駆動してインク滴を吐出し、印刷を施す。
【００６５】
復路印刷を実行した後、搬送処理を実行し（Ｓ１１２）、その後、排紙判断を行う（Ｓ１１４）。ここで、印刷中の紙Ｓに印刷すべき他のデータがあれば、排紙処理は行わずに、ステップＳ１０４に戻って、再度往路印刷を実行する（Ｓ１０４）。一方、印刷中の紙Ｓに印刷すべき他のデータがなければ、排紙処理を実行する（Ｓ１１６）。
【００６６】
排紙処理を行った後、次に、印刷終了か否かを判断する印刷終了判断を実行する（Ｓ１１８）。ここでは、次にホストコンピュータ１４０から印刷データに基づき、次に印刷すべき紙Ｓがないかどうかチェックする。ここで、次に印刷すべき紙Ｓがある場合には、ステップＳ１０２に戻り、再び給紙処理を実行して、印刷を開始する。一方、次に印刷すべき紙Ｓがない場合には、印刷処理を終了する。
【００６７】
＝＝＝液体滴吐出検査装置＝＝＝
次に液体滴吐出検査装置について説明する。ここでは、この液体滴吐出検査装置が、インクジェットプリンタ１（液体滴吐出装置に相当）に搭載された場合を例示する。
【００６８】
＜液体滴吐出検査装置６０＞
図１３乃至図１４Ｂに、液体滴吐出検査装置６０の説明図を示す。図１３は、プリンタ１内における液体滴吐出検査装置６０の配置図である。また、図１４Ａは液体滴吐出検査装置６０の縦断面図であり、図１４Ｂは図１４Ａ中のＢ−Ｂ断面図である。
【００６９】
この液体滴吐出検査装置６０は、図１３の配置図に示すように、プリンタ１の印刷エリアＡｐ（キャリッジ４１のヘッド２１が印刷可能なエリア）から外れた非印刷エリアＡｎに配置されており、キャリッジ４１が、キャリッジ移動方向に沿って印刷エリアＡｐから非印刷エリアＡｎへと移動することで、吐出状態の検査を行える状態となる。ここで、ノズルｎからのインク滴の吐出方向が鉛直方向下方であることから、この液体滴吐出検査装置６０は、非印刷エリアＡｎに移動したヘッド２１のノズルｎに対し、その下方から対向するように、ヘッド２１の下面よりも下方に配置されている。
【００７０】
ちなみに、この非印刷エリアＡｎにおける液体滴吐出検査装置６０よりも外側の領域には、前述のクリーニングユニット３０が配置されており、そのポンプ装置３１は、液体滴吐出検査装置６０からの検査結果を受けて、ヘッド２１のノズルｎからインクを吸い出す動作（クリーニング処理）をする。
【００７１】
図１４Ａに示すように、液体滴吐出検査装置６０は、ヘッド２１のノズルｎから吐出されたインク滴を受けるための導電性インク吸収体６１（導電体に相当）と、帯電したインク滴の接近によって前記導電性インク吸収体６１に生じる誘導電流を検出する検出部６３と、ノズルｎから前記インク滴を吐出する際にこのインク滴を帯電させるべく前記導電性インク吸収体６１に電圧を印加する電圧印加部６５と、導電性インク吸収体６１を収容するための有底容器６７と、を備えている。
【００７２】
先ず、図１４Ａを参照して検査原理を説明する。帯電したインク滴がノズルｎから導電性インク吸収体６１へ向けて吐出されると、このインク滴の接近に伴って導電性インク吸収体６１には、静電誘導現象等に基づいて誘導電流が生じる。すなわち、インク滴の接近に伴って、導電性インク吸収体６１には前記インク滴とは逆極性の電荷が誘起されるように誘導電流が流れる。よって、この誘導電流の検出の有無によってノズル詰まりを検査できる。なお、この検出の有無の判定は、例えば、図１４Ｃに示すように、誘導電流の大きさが所定の閾値（以下、目詰まり閾値Ｆｔｈと言う）以上であるか否かによって行うことができる。
【００７３】
インク滴の帯電処理は、図１４Ａの電圧印加部６５によって導電性インク吸収体６１に電圧を印加し、その際にノズルｎとの間に形成される電界によって吐出前にインクを分極させることで行われる。よって、導電性インク吸収体６１に印加する電圧値を、前記目詰まり閾値との関係で予め設定しておくことにより、吐出量が計画値の場合に、前記誘導電流の大きさが目詰まり閾値を超えるような帯電量を帯びさせることが可能である。なお、インク滴の吐出量が多い程に帯電量も大きくなるのは言うまでもなく、もって、検査精度向上の観点からは、インク滴の吐出に用いる駆動信号ＤＲＶ（ｉ）としては、大サイズのインク滴を吐出するための駆動信号ＤＲＶ（ｉ）を用いるのが望ましい（図７を参照）。よって、ＥＥＰＲＯＭ１２９における検査用インク滴サイズ情報の格納領域には、「大サイズ」情報が記憶されている。
【００７４】
次に、図１４Ａ及び図１４Ｂを参照しつつ、液体滴吐出検査装置６０の各構成要素について説明する。
【００７５】
有底容器６７は、下方が底の略直方体形状の箱体６８を本体とし、この箱体６８内に、前記導電性インク吸収体６１が収容されている。そして、この有底容器６７の開口した上端を通して、導電性インク吸収体６１の上面６１ａがその上方のノズルｎに対向可能であり、もって、当該上面６１ａが、ノズルｎから鉛直下方へ吐出されるインク滴を受けるための面として機能する。
【００７６】
なお、好ましくは、この箱体６８をゴム等の不導体素材で成形すると良く、そうすれば、これに収容される導電性インク吸収体６１からの漏電を確実に防止可能となり、漏電による電圧降下に起因してインク滴の帯電量が計画値を下回って検査精度が悪くなることを防止できる。  
また、より好ましくは、この箱体６８の底面及び四側面を、電気的に接地された金属網や金属板等の遮蔽部材６９で覆うと良い。そうすれば、箱体６８には電磁遮蔽機能及び静電遮蔽機能が付与されるため、電磁ノイズ等の外乱を発する機器が周囲に存在しても、その影響は、箱体６８内の導電性インク吸収体６１には及ばず、もって、導電性インク吸収体６１に生じる誘導電流は、専らインク滴の接近に基づいたものとなりその検査精度を高めることができる。
【００７７】
導電性インク吸収体６１は、例えば、弾性を有する海綿状の多孔質体であり、その具体的一例としては、セル数が約４０セル／インチで電気抵抗率が１００００Ω・ｃｍのエステル系ウレタンスポンジ（商品名：エバーライトＳＫ−Ｅ、ブリジストン（株）社製）等が挙げられる。但し、適度な導電性及び吸液性を有していれば何等これに限るものではない。
【００７８】
なお、ここで海綿状の多孔質体を用いている理由は、前記上面６１ａ上のインクの滞留を防ぐためである。すなわち、前記上面６１ａにインクが滞留すると、その導電性に起因して、前記上面６１ａとノズルｎとの間隔Ｄを実質的に狭くしてしまい、この後で説明する堆積物と同等の悪影響を検査精度に対して及ぼしてしまうからである。この点につき、導電性インク吸収体６１は、海綿状の多孔質体であるので、前記上面６１ａに受けられたインク滴は、多数の孔によって導電性インク吸収体６１の内部へと速やかに浸透し、前記上面６１ａのインクの滞留は抑制される。
【００７９】
この導電性インク吸収体６１の上面６１ａの形状は、図１４Ａに示すように、ノズル列２１１の列方向に沿って長尺な長方形であり、その全長Ｌ１は、ノズル列２１１の全長Ｌ２よりも長くなっている。従って、前記キャリッジ４１の移動によって、前記導電性インク吸収体６１とノズル列２１１との位置合わせを一回行えば、前記ノズル列２１１の全ノズルｎ（＃１）〜ｎ（＃１８０）を導電性インク吸収体６１の上面６１ａに対向させることができて、もって、その後の位置合わせ無しに、前記ノズル列２１１の全てのノズルｎ（＃１）〜ｎ（＃１８０）の吐出状態の検査を一斉に行うことができ、検査時間の短縮化が図れる。
【００８０】
検出部６３は、コンデンサＣと、入力抵抗Ｒ２と、帰還抵抗Ｒ３と、オペアンプＡｍｐとを備えた電気回路により構成されている。コンデンサＣは、導電性インク吸収体６１に誘導電流が発生したときに、それを電気信号として入力抵抗Ｒ２を介してオペアンプＡｍｐに入力する役割を果たす。また、オペアンプＡｍｐは、コンデンサＣを通じて入力された信号を増幅して出力する増幅回路としての役割を果たす。オペアンプＡｍｐからの出力信号は、例えば、Ａ／Ｄ変換器（不図示）によりアナログ信号からデジタル信号へとＡ／Ｄ変換されて、例えばデジタルデータなどの適宜な形態でシステムコントローラ１２６に向けて出力される。
【００８１】
このシステムコントローラ１２６は、検出部６３からのデータ、すなわち導電性インク吸収体６１に生じた誘導電流の大きさを、前記目詰まり閾値Ｆｔｈと比較して、インク滴が正常に吐出されたか否かを判定する（図１４Ｃを参照）。すなわち、誘導電流の大きさが前記目詰まり閾値Ｆｔｈ以上であれば、インク滴が正常に吐出されていると判定し、未満であればノズル詰まりと判定する。この目詰まり閾値Ｆｔｈは、図４に示すＥＥＰＲＯＭ１２９における目詰まり閾値情報の格納領域に予め記憶されている。よって、システムコントローラ１２６は、誘導電流の大きさを前記目詰まり閾値Ｆｔｈと比較するにあたって、ＥＥＰＲＯＭ１２９から前記目詰まり閾値Ｆｔｈを取得する。
【００８２】
なお、このシステムコントローラ１２６は、ヘッド２１の各ノズルｎからそれぞれ個別に導電性インク吸収体６１へ向けて検査用のインク滴を吐出するように、ヘッド駆動部１３２の制御も行うのは言うまでもない。  
電圧印加部６５は適宜な電源であり、図１４Ａに示すように保護抵抗Ｒ１を介して前記導電性インク吸収体６１に、例えば１００ボルトの電圧を印加する。
【００８３】
＜検査手順＞
図１５は検査の全体の流れを示すフローチャートである。図示のように、この液体滴吐出検査装置６０では、上述した吐出状態の検査（Ｓ３００）の前に、前記導電性インク吸収体６１の上面６１ａに堆積する堆積物の状態を検査する（Ｓ２００）。これは、堆積物によって吐出状態の検査精度が悪化する虞があるためである。この堆積物の状態の検査については後述することにし、ここでは、ステップＳ３００に係る「吐出状態の検査」の手順について詳説する。
【００８４】
図１６は吐出状態の検査手順のフローチャートである。この吐出状態の検査は、図１６のフローチャートに対応するプログラムを、前記ＥＥＰＲＯＭ１２９等のメモリから前記システムコントローラ１２６（判定部に相当）が読み出して実行される。
【００８５】
先ず、吐出状態の検査指令がかかると、システムコントローラ１２６は、キャリッジ４１をキャリッジ移動方向に移動して、ノズル列２１１を、液体滴吐出検査装置６０の検査ポジションＣＰ上に位置させる（Ｓ３０２）。この検査ポジションＣＰは、導電性インク吸収体６１の上面６１ａの幅中心に設定されており（図１３を参照）、そのキャリッジ移動方向の位置は、ＥＥＰＲＯＭ１２９における検査ポジション情報の格納領域に記憶されている。よって、移動に際しては、システムコントローラ１２６は、この検査ポジションＣＰの位置情報を取得し、これに基づいてキャリッジモータ制御部１２８を制御して、検査ポジションＣＰ上に前記ノズル列２１１を停止させる。
【００８６】
そうしたら、検出部６３で検出される誘導電流を監視しつつ、システムコントローラ１２６は、検査対象のノズルｎを順番に替えながら各ノズルｎから一滴ずつ、所定周期でインク滴を吐出し（Ｓ３０４）、検出された誘導電流に基づいて、ステップＳ３０６乃至Ｓ３１０を行ってノズル毎にノズル詰まりか否かを判定する。
【００８７】
すなわち、ステップＳ３０６において、検出された誘導電流の大きさが前記目詰まり閾値Ｆｔｈ未満の場合には、そのノズル番号を目詰まりノズルｎとしてメインメモリ１２７に記録し（Ｓ３０８）、しかる後にステップＳ３１０へ移行する。一方、前記目詰まり閾値Ｆｔｈ以上の場合には（Ｓ３０６）、そのノズルｎの吐出状態は正常なものとして、そのままステップＳ３１０へ移行する。
【００８８】
ステップＳ３１０では、検査対象のノズル列２１１内の全ノズルｎに対して検査を終了したか否かが判定され、終了していない場合には、ステップＳ３０４へ戻って、未検査のノズルｎを検査対象のノズルｎとしてインク滴を吐出する。他方、終了している場合には、ステップ３１２へ移行する。
【００８９】
ステップＳ３１２では、全てのノズル列２１１に対して検査が終了したか否かが判定され、未検査のノズル列２１１がある場合には、ステップＳ３０２へ戻って、未検査のノズル列２１１を前記検査ポジションＣＰへ移動し、この未検査のノズル列２１１に対して上述と同じ手順で吐出状態の検査を行う。
【００９０】
他方、全ノズル列２１１に対して検査が終了していれば、ステップＳ３１４へ移行する。このステップＳ３１４では、前記メインメモリ１２７に記録されたノズル番号を参照して、目詰まりノズルの有無を判定する。そして、有り判定の場合には、目詰まりを解消させるべくステップＳ３１６のクリーニング処理へ移行してクリーニングユニット３０を動作させる。一方、無し判定の場合には、一連の全ての検査が完了し、システムコントローラ１２６は、プリンタ１を、印刷動作等が受け付け可能な待機状態にする。
【００９１】
＜吐出状態の検査タイミング＞
この検査タイミングとしては、以下の三つが挙げられる。
【００９２】
（１）印刷処理中
印刷処理中に適宜なタイミングで検査を実行する。例えば、「双方向印刷」の場合には、移動方向が変更される際に、キャリッジ４１が前記検査ポジションＣＰへと移動して、インク滴の吐出状態の検査を実行する。これにより、印刷処理中にノズルｎからインク滴が吐出されずに印刷画像に不具合が生じるのを回避できる。
【００９３】
（２）電源投入時
電源投入時に検査を実行する。電源投入時は、しばらくの間ノズルｎからインク滴を吐出しない状態が続いていた可能性があり、このような場合には、ノズルｎ内のインク滴が乾燥しノズルｎからインク滴が吐出されない虞がある。また、これからまさに印刷を行うべくプリンタ１の電源を投入する場合もあるので、プリンタ１のイニシャライズ処理時における処理の１つとして、インク滴の吐出状態の検査を実行する。このようなタイミングで検査を実行することで、ノズルｎからインク滴を確実に吐出させて良好な画像を印刷可能となる。
【００９４】
（３）給紙時
紙Ｓを印刷すべく所定の位置に送り込む動作の際、即ち給紙時に検査を実行する。このタイミングによれば、画像を印刷するために紙Ｓを給紙したときに、インク滴が正常に吐出されるか否かを検知可能である。なお、紙Ｓを給紙する度に、吐出状態の検査を実行しても良いし、または、所定の給紙枚数毎に実行しても良い。
【００９５】
＝＝＝導電性インク吸収体６１の上面６１ａに堆積する堆積物の状態の検査＝＝＝
図１５を参照して前述したように、この液体滴吐出検査装置６０では、吐出状態の検査（Ｓ２００）の前に、導電性インク吸収体６１の上面６１ａに堆積する堆積物の状態を検査する（Ｓ３００）。
【００９６】
これは、図１４Ａに示すように、導電性インク吸収体６１に所定電圧を印加しても、上記堆積物に起因してノズルｎと導電性インク吸収体６１との間隔Ｄが変化すると、この間隔Ｄに形成される電界の変化を通してインク滴の帯電量に変化を来たす結果、誘導電流の大きさも変化してしまい、吐出状態を正確に検査できなくなるからである。
【００９７】
例えば、ノズルｎが不完全に目詰まりを起こしている場合には、そのインク滴の吐出量は計画値よりも少なくなるため、本来は、このようなノズルｎに対してもノズル詰まりと判定されるのが望ましい。つまり、この場合には、吐出量が少量であることに伴ってインク滴の帯電量も少なくなることから、発生する誘導電流の大きさは前述の目詰まり閾値Ｆｔｈを下回って、ノズル詰まりと判定されるのが理想である。
【００９８】
しかしながら、図１７Ａ及び図１７Ｂに示すように、インク滴を受ける導電性インク吸収体６１の上面６１ａにインク中の固形成分（染料又は顔料等）が堆積し、しかもインクの溶媒によってその堆積物に導電性が与えられると、その堆積高さ分だけ実質的にノズルｎと導電性インク吸収体６１との間隔Ｄが本来の設計値Ｄ１からＤ２へと狭まってしまい、その結果として、ノズルｎと導電性インク吸収体６１との間に形成される電界の大きさも計画値より大きくなる。すると、この電界によって生じるインク滴の帯電量も、前述の少量のインク滴に見合った帯電量よりも大きくなってしまい、その結果として、本来ならば前記目詰まり閾値Ｆｔｈよりも下回るべき誘導電流の大きさが目詰まり閾値Ｆｔｈを上回り、もってノズル詰まりと判定されない虞があるのである。ちなみに、一般にノズルｎと導電性インク吸収体６１の上面６１ａとの間隔Ｄは１〜２ｍｍに設定されるため、このような堆積物も十分検査精度に影響を及ぼすと考えられる。
【００９９】
図１８Ａ及び図１８Ｂは、この堆積物の状態の検査原理の説明図である。この検査方法では、インク滴の接近によって導電性インク吸収体６１に生じる誘導電流の大きさが、堆積物の堆積高さに応じて大きくなることに着目し、この変化を利用して堆積高さが、吐出状態の検査の許容範囲内か否かの判定を行っている。
【０１００】
すなわち、図１８Ａ及び図１８Ｂの上段に示すように堆積高さが低い状態と高い状態とにおいて、互いに同値の電圧を導電性インク吸収体６１に印加し、しかも同サイズのインク滴を吐出したとしても、図１８Ｂの堆積高さが高い状態の方が、ノズルｎと導電性インク吸収体６１との間隔がＤ１からＤ２へと狭くなることから、この間隔に形成される電界が大きくなる。すると、吐出前のインクの分極の程度も大きくなって、インク滴の帯電量がより大きくなり、その結果として、このインク滴の接近に伴って導電性インク吸収体６１に生じる誘導電流も大きくなる（図１８Ａ及び図１８Ｂの下段を参照）。  
よって、図１８Ａ及び図１８Ｂの下段に示すように、誘導電流の大きさが、予め定めた所定の閾値（以下、堆積閾値と言う）以上であるか否かによって、堆積物の堆積高さが許容範囲外か否かを判定することができる。
【０１０１】
なお、この判定に用いる堆積閾値の値は、次のような実験的手法で決めることができる。先ず、実際に導電性インク吸収体６１上の堆積物の堆積高さを複数水準でふりながら、これらにめがけてインク滴を吐出し、各水準の誘導電流の大きさを計測する。そして、前記堆積高さ及び誘導電流の計測値を図１９に示すようにグラフ化し、そのグラフから堆積高さの想定上限値に対応する誘導電流値を読み取って堆積閾値とすれば良い。ちなみに、この堆積閾値は、図１８Ａの下段に示すように、前述の目詰まり閾値Ｆｔｈよりも大きい値であるのは言うまでもない。
【０１０２】
そして、このように決められた堆積閾値は、出荷前に、プリンタ１のＥＥＰＲＯＭ１２９に格納され、これによって、出荷後、購入先のユーザの下で堆積物の状態を検査可能となる。  
ちなみに、この堆積状態の検査を、全てのノズルｎに対して行う必要はなく、例えば幾つかのノズルｎに代表させて検査を行うようにしても良い。ここで、代表のノズルｎとしては、図１７Ａに示すように、ノズル列２１１の列方向に関する中央付近のノズルｎを選択すると良く、そうすれば、端よりも堆積高さが高くなりがちな中央の堆積状態に基づいて堆積高さが許容範囲外か否かの判定を行うことになるため、全ノズルｎを検査した場合と比べて遜色の無い的確な判定を下すことが可能となる。
【０１０３】
＜検査手順＞
図２０は堆積物の検査手順のフローチャートである。この堆積物の検査も、図２０のフローチャートに対応するプログラムを、前記ＥＥＰＲＯＭ１２９から前記システムコントローラ１２６（評価部に相当）が読み出して実行される。
【０１０４】
先ず、堆積物の検査指令がかかると、システムコントローラ１２６は、キャリッジ４１をキャリッジ移動方向に移動して、図１７Ｂに示すようにノズル列２１１を、液体滴吐出検査装置６０の前記検査ポジションＣＰ上に位置させる（Ｓ２０２）。  
そうしたら、検出部６３で検出される誘導電流を監視しつつ、システムコントローラ１２６は、例えば、図１７Ａに示すように、ノズル列２１１に沿う方向の中央のノズルｎを代表ノズルｎとして、このノズルｎからインク滴を一滴だけ吐出し（Ｓ２０４）、その際に検出された誘導電流に基づいて堆積状態を評価する（Ｓ２０６）。  
つまり、このステップＳ２０６にて誘導電流が堆積閾値以上の場合には、堆積高さが吐出状態の検査の許容範囲外であるものとして、ステップＳ２０８へ移行し「堆積物の検査への影響の軽減化処理」を行う。そして、この堆積物の検査への影響が軽減化された状態で、前述した図１６の「吐出状態の検査（Ｓ３００）」を実行する。なお、このステップＳ２０８の「堆積物の検査への影響の軽減化処理」については、この後で説明する。  
他方、ステップＳ２０６にて誘導電流が堆積閾値未満の場合には、堆積物が及ぼす吐出状態の検査への影響は軽微と考えて、そのまま上記「吐出状態の検査（Ｓ３００）」を実行する。
【０１０５】
＝＝＝堆積物の影響の軽減化処理（Ｓ２０８）について＝＝＝
この軽減化処理とは、導電性インク吸収体６１の堆積物が、「吐出状態の検査（Ｓ３００）」に影響して、その吐出状態を誤判定するのを防ぐための処理である。  
すなわち、図１７Ａを参照して前述したように、導電性インク吸収体６１の上面６１ａに堆積物が生じると、ノズルｎと導電性インク吸収体６１との間隔が実質的に設計値Ｄ１よりも狭くなるために、この間隔に形成される電界の大きさは計画値よりも過大になる。すると、この電界によって生じるインク滴の帯電量も、その吐出量に見合った帯電量よりも過大となり、その結果として、計画値よりも過小な吐出量でも、その誘導電流が前記目詰まり閾値を上回ってしまってノズル詰まりと判定されない虞がある。  
このため、図２０のステップＳ２０６において誘導電流が前記堆積閾値以上の場合には、ステップＳ２０８へ移行して「堆積物の影響の軽減化処理」を行い、これによって、この後のステップＳ３００の「吐出状態の検査」の際に起こり得る、堆積物起因の吐出状態の誤判定を防ぐようにしている。
【０１０６】
この軽減化処理としては、以下の８つの方法が挙げられる。  
（１）堆積物を崩すための液体を吐出する。  
（２）導電性インク吸収体６１の清掃又は交換をユーザに通知する。  
（３）ノズルｎと導電性インク吸収体６１との間隔を変更する。  
（４）導電性インク吸収体６１への印加電圧を変更する。  
（５）検査ポジションＣＰを変更する。  
（６）目詰まり閾値Ｆｔｈを変更する。  
（７）検査用インク滴のサイズを変更する。  
（８）検査用インク滴の吐出周波数を変更する。
【０１０７】
なお、これらは、その処理内容から大まかに２グループに大別される。一方のグループは、上記（１）及び（２）に示すような、導電性インク吸収体６１上の堆積物を除去して対処する方法であり、他方は、上記（３）乃至（８）に示すような、堆積物を除去せずに対処する方法である。以下、各方法について説明する。
【０１０８】
（１）堆積物を崩すための液体を吐出する。  
この一例としては、堆積物を溶解可能な液体をノズルｎから吐出することが挙げられる。より具体的に言えば、水性インクの場合には、図２１Ａ及び図２１Ｂに示すように、水を吐出するノズル列２１１（Ｗ）を前記ヘッド２１に追設するのである。  
そして、この構成によれば、ステップＳ２０６において軽減化処理（Ｓ２０８）を実行すべき判定が下されると、システムコントローラ１２６は、図２１Ｂに示すようにキャリッジ４１を移動して前記水吐出用のノズル列２１１（Ｗ）を前記検査ポジションＣＰ上へ位置させた後に、ヘッド駆動部１３２を制御して前記ノズル列２１１（Ｗ）の全ノズルｎから複数の水滴を吐出する。その結果、これら水滴によって、導電性インク吸収体６１の上面６１ａの堆積物は崩されて導電性インク吸収体６１の内方へと洗い流され、図２２Ａ及び図２２Ｂに示すように、吐出状態の検査に影響する堆積物は概ね除去される。  
なお、堆積し難いインクを前記ヘッド２１が吐出可能な場合には、上述の水の代わりに、前記インクを用いて堆積物を崩しても良い。例えば、本実施形態のヘッド２１は備えていないが、ライトシアンやライトマゼンダ等の淡色系インクのノズル列２１１を備えている場合には、これら淡色系インクは堆積し難いことから、これらのノズル列２１１を前記検査ポジションＣＰ上へ移動して、これらのインク滴を、前記上面６１ａの堆積物へ向けて吐出するようにしても良い。
【０１０９】
（２）導電性インク吸収体６１の清掃又は交換をユーザに通知する。  
この一例としては、図１に示す操作パネル２の表示ランプ６を、上記清掃等の通知用の報知部として利用することが挙げられる。すなわち、ステップＳ２０６において軽減化処理（Ｓ２０８）を実行すべき判定が下されると、システムコントローラ１２６は前記表示ランプ６を制御してこれを点滅させ、導電性インク吸収体６１の清掃等のメンテナンス時期が来たことをユーザに報知する。  
なお、操作パネル２やホストコンピュータ１４０が、液晶ディスプレイ等の表示画面を備えている場合には、その表示画面に前記清掃等の通知を表示しても良い。
【０１１０】
（３）ノズルｎと導電性インク吸収体６１との間隔を変更する。  
この処理は、堆積物の堆積高さ分だけ、ノズルｎと導電性インク吸収体６１との間隔を拡開するものである。この間隔の開閉動作は、前述のＰＧ調整機構９０（間隔調整機構に相当）を用いてなされる。  
すなわち、ステップＳ２０６において軽減化処理（Ｓ２０８）を実行すべき判定が下されると、図２３に示すように、システムコントローラ１２６は前記ＰＧ調整機構９０を制御してヘッド２１を上昇し、これによって、導電性インク吸収体６１とノズルｎとの間隔を、現状よりも堆積高さΔＤ分だけ広くする。すると、堆積物の上端とノズルｎとの間隔がその設計値Ｄ１となるために、この間隔に形成される電界の大きさは概ね計画値となり、もって、インク滴の帯電量もほぼ計画値になる。  
よって、この間隔のまま「吐出状態の検査（ステップＳ３００）」を行えば、インク滴の吐出量が計画値どおりの場合には誘導電流の大きさも計画値となって、吐出状態の誤判定は防止される。なお、このステップＳ３００の検査が終了したら、ＰＧ調整機構９０によってヘッド２１は降下されて、ノズルｎとプラテン１４とのギャップＰＧは元のギャップに戻されるのは言うまでもない。  
また、ヘッド２１を上昇させる際には、堆積高さΔＤの現状値を知っていなければならないが、この現状値については、ステップＳ２０６にて検出された誘導電流の大きさと、前述の図１９のグラフとに基づいて求めることができる。すなわち、システムコントローラ１２６は、前記誘導電流の大きさに対応する堆積高さの数値を図１９のグラフから読み取って、この読み取り値を堆積高さの現状値として取得する。なお、図１９のグラフの情報は、ＥＥＰＲＯＭ１２９に予め記憶されている。
【０１１１】
（４）導電性インク吸収体６１への印加電圧を変更する。  
この処理は、堆積物によってインク滴の帯電量が計画値よりも増える分に相当する分だけ印加電圧を設計値から降下させ、これによってインク滴の帯電量を計画値へと戻すものである。  
この印加電圧の降下は、図２４に示すように、電圧印加部６５と導電性インク吸収体６１との間に介装された適宜な変圧器６５ａを用いて達成される。すなわち、ステップＳ２０６において軽減化処理（Ｓ２０８）を実行すべき判定が下されると、システムコントローラ１２６は前記変圧器６５ａを制御して、導電性インク吸収体６１への印加電圧を現状の設計値から降下する。すると、この印加電圧降下による帯電量の減少と、前記堆積物による帯電量の増加分とがほぼ相殺されて、インク滴の帯電量は概ね計画値となり、もって、この降下後の印加電圧値のまま「吐出状態の検査（ステップＳ３００）」を行えば、吐出量が計画値どおりの場合には誘導電流の大きさも計画値となって、吐出状態の誤判定は防止される。
【０１１２】
（５）検査ポジションＣＰを変更する。  
この処理は、導電性インク吸収体６１の上面６１ａの幅方向中央に初期設定されていた検査ポジションＣＰを、堆積物が少ないであろう前記中央以外の位置に変更するものである。  
すなわち、検査ポジションＣＰとしては、上述の幅方向中央の第１検査ポジションＣＰ１以外に幾つかの検査ポジションＣＰが予め用意されており、図２５Ａ及び図２５Ｂに示す例では、前記上面６１ａにおける幅方向の中央と端との中間位置が第２検査ポジションＣＰ２として用意されている。  
よって、ステップＳ２０６において軽減化処理（Ｓ２０８）を実行すべき判定が下されると、システムコントローラ１２６は、検査ポジションＣＰを第１検査ポジションＣＰ１から第２検査ポジションＣＰ２へと切り替えるべく、ＥＥＰＲＯＭ１２９を参照して第２検査ポジションＣＰ２の位置情報を取得する。  
そして、ステップＳ３００の「吐出状態の検査」においてシステムコントローラ１２６は、前記位置情報に基づいてキャリッジモータ制御部１２８を制御し、ヘッド２１のノズル列２１１を第２検査ポジションＣＰ２上へ移動する。その結果、前記上面６１ａのなかで比較的堆積高さの低い前記中間位置を用いて吐出状態の検査を実行可能となり、もって、堆積物の影響を軽減化して吐出状態の検査を行うことができる。
【０１１３】
（６）目詰まり閾値Ｆｔｈを変更する。  
この処理は、ステップＳ３００の「吐出状態の検査」で吐出状態の判定に使用される目詰まり閾値Ｆｔｈを、堆積物起因で前記誘導電流が大きくなった分だけ、大きな値に拡大変更するものである。  
すなわち、ステップＳ２０６において軽減化処理（Ｓ２０８）を実行すべき判定が下されると、システムコントローラ１２６は、図２６Ａ及び図２６Ｂに示すように、目詰まり閾値Ｆｔｈを後述の拡大率Ｅで拡大変更し、この拡大変更後の目詰まり閾値Ｆｔｈｅを、前記ＥＥＰＲＯＭ１２９における目詰まり閾値情報の格納領域に上書き保存する。そして、ステップＳ３００の「吐出状態の検査」においては、システムコントローラ１２６は、前記誘導電流を、拡大変更後の目詰まり閾値Ｆｔｈｅと比較して吐出状態を判定する。
【０１１４】
上述の拡大率Ｅは、図２６Ａ及び図２６Ｂに示すように、ステップＳ２０６において検出部６３で検出された誘導電流の大きさＩＣｍを、吐出量が計画値の場合に本来検出されるべき誘導電流の計画値ＩＣｉで除算することで求められる。従って、この拡大率Ｅに基づいて拡大変更された目詰まり閾値Ｆｔｈｅは、堆積物起因の前記誘導電流の増加分に対応させて拡大変更されたものであり、もって、この拡大変更後の目詰まり閾値Ｆｔｈｅを用いれば、吐出状態の誤判定を確実に防止することができる。
【０１１５】
（７）検査用インク滴のサイズを変更する。  
この処理は、ステップＳ３００の「吐出状態の検査」においてノズルｎから吐出するインク滴のサイズを現状の「大サイズ」から、これよりも小さい例えば「中サイズ」に変更するものである。  
すなわち、ステップＳ２０６において軽減化処理（Ｓ２０８）を実行すべき判定が下されると、システムコントローラ１２６は、ＥＥＰＲＯＭにおける検査用インク滴サイズ情報の格納領域に「中サイズ」情報を上書き保存する。  
そして、ステップＳ３００の「吐出状態の検査」においては、システムコントローラ１２６は、「中サイズ」情報に基づいて前記ヘッド駆動部１３２に中サイズのインク滴を吐出させ、この中サイズのインク滴を用いて吐出状態の判定を行うこととなるが、その際には、インク滴サイズの縮小による帯電量の減少分が、堆積物による帯電量の増加分とほぼ相殺されて、インク滴の帯電量は概ね計画値となり、その結果、吐出状態の誤判定は防止される。
【０１１６】
（８）検査用インク滴の吐出周波数を変更する。  
以上説明してきた（１）乃至（７）の方法では、ノズルから吐出する検査用のインク滴が一滴であるものとして説明したが、ここで説明する（８）の方法は、ステップＳ３００の「吐出状態の検査」において、複数のインク滴を所定の吐出周波数で連続吐出してインク滴群を形成する場合であって、しかも、そのインク滴群の全長ＴＬが所定長さに規定されている場合に有効な方法である（図２７Ａ及び図２７Ｂを参照）。  
この処理は、ステップＳ３００の「吐出状態の検査」において、ノズルｎから検査用に吐出されるインク滴の吐出周波数を、図２７Ａに示す現状の吐出周波数よりも、図２７Ｂに示すように、堆積物起因による誘導電流の増加分だけ低くするものである。  
すなわち、ステップＳ２０６において軽減化処理（Ｓ２０８）を実行すべき判定が下されると、システムコントローラ１２６は、後述の比率Ｒで吐出周波数を低くし、この低下後の吐出周波数を、前記ＥＥＰＲＯＭ１２９における吐出周波数情報の格納領域に上書き保存する。  
そして、ステップＳ３００の「吐出状態の検査」においては、システムコントローラ１２６は、前記ＥＥＰＲＯＭ１２９から前記低下後の吐出周波数を取得し、これに基づいてヘッド駆動部（コントローラに相当する）１３２を制御して、ノズルｎから複数のインク滴を連続吐出する。  
ここで、図２７Ｃを参照して前記比率Ｒの求め方について説明すると、この比率Ｒは、例えば、ステップＳ２０６において検出部６３で検出された誘導電流の大きさＩＣｍで、吐出量が計画値の場合に本来検出されるべき誘導電流の計画値ＩＣｉを除算することで求められる。そして、この比率Ｒに基づいて低くされた吐出周波数によれば、前記間隔に存在するインク滴の滴数を、堆積物起因の前記誘導電流の増加分に対応させて少なくすることができて、その結果として、「吐出状態の検査（Ｓ３００）」において生じる誘導電流の大きさを概ね計画値にすることができる。  
なお、この吐出周波数の低下によって、インク滴群に含まれるインク滴の総数も減ることになるため、以降の検査においては、堆積物の堆積速度が遅くなるという効果も奏する。
【０１１７】
＝＝＝液体滴吐出検査装置の変形例＝＝＝
＜第１変形例＞
図２８Ａに、第１変形例に係る液体滴吐出検査装置８０の縦断面図を、また、図２８Ｂには、図２８Ａ中のＢ−Ｂ断面図を示す。前述した液体滴吐出検査装置６０との主な相違点は、有底容器６７の箱体６８に、導電性インク吸収体６１のノズル側への移動を拘束する保持部６８ａが設けられている点に有る。この理由は、導電性インク吸収体６１が経時的にノズル側へ移動して、ノズルｎと導電性インク吸収体６１の上面６１ａとの間隔Ｄを狭めてしまう虞があるからである。よって、それ以外の構成は、ほぼ前述の液体滴吐出検査装置６０と同じであり、同一の構成については同一の符号を付して示し、その説明は省略する。
【０１１８】
前記保持部６８ａは、有底容器６７の箱体６８の内周面における前記上面６１ａに対応する高さに形成された凸部６８ａであり、この凸部６８ａの下面が前記上面６１ａの縁部に当接している。よって、この凸部６８ａは、前記上面６１ａの上方への移動を拘束する。
【０１１９】
ここで、この凸部６８ａの望ましい形態としては、前記上面６１ａの縁部の全周に亘って当接すべく、箱体６８の内周に沿って環状に形成されていると良く、そうすれば、前記上面６１ａをほぼ平面状に保ったまま、その上方への移動を拘束できる。
【０１２０】
なお、上面６１ａが下方へ移動する虞がある場合には、前記上面６１ａよりも下方の部分に食い込んで導電性インク吸収体６１に係合する凸部（不図示）を、箱体６８の内周面に形成すれば良く、そうすれば、前記上面６１ａの移動を上下両方向について確実に拘束できる。また、この拘束性をより高めるには、前記凸部（不図示）を上下方向の複数の位置に設けると良い。
【０１２１】
＜第２変形例＞
図２９Ａに、第２変形例の液体滴吐出検査装置８０ａの縦断面図を、また、図２９Ｂには、図２９Ａ中のＢ−Ｂ断面図を示す。上述の第１変形例との主な相違点は、導電性インク吸収体６１の厚みを薄くし、それによって空いた有底容器６７の底部側の空間、即ち下方側の空間に、膨潤性のインク保持体８１を収容した点に有り、それ以外の構成は、ほぼ第１変形例と同じである。従って、同一の構成については、同一の符号を付して示し、その説明は省略する。
【０１２２】
有底容器６７の底部側に収容されたインク保持体８１は、その上方の導電性インク吸収体６１からインクをほぼ不可逆的に吸い取って保持するものであり、前記底部側の空間とほぼ同形の直方体形状に成形されている。そして、このインク保持体８１は、その長方形の上面８１ａを、前記導電性インク吸収体６１の長方形の下面６１ｂにほぼ全面に亘って当接させつつ前記空間に収容されており、これによって、導電性インク吸収体６１からの一層速やかなインクの吸い取りを達成している。
【０１２３】
このインク保持体８１に好適な素材としては、吸い取ったインクをゲル化して保持する素材が挙げられ、特に、少なくとも水を溶媒として含むインクの場合には、所謂吸水性ポリマーが好適である。この吸水性ポリマーは、その分子間に水を取り込んで膨張する性質（膨潤性）を有し、一旦取り込んだ水を容易には離さない。このため、一旦吸い取ったインクを、再び導電性インク吸収体６１へと戻してしまうことは殆ど無く、つまり導電性インク吸収体６１から概ね非可逆的にインクを吸い取り可能である。この吸水性ポリマーとしては、架橋ポリアクリル酸塩系樹脂等が挙げられる。
【０１２４】
そして、この第２変形例によれば、上述の保持部６８ａによる前記上面６１ａの上方への移動拘束作用を有効に享受することができる。これは、インク保持体８１が、その膨潤性からインクの吸い取りに伴って膨張し、これによって導電性インク吸収体６１が上方へ押し上げられるが、その際には、前記保持部６８ａが、前記上面６１ａのノズルｎ側への移動を確実に拘束するからである。ちなみに、インク保持体８１の膨張は、導電性インク吸収体６１の弾性圧縮変形によって吸収され、これによって、導電性インク吸収体６１の上面６１ａは上方へ移動することなく初期位置に維持される。
【０１２５】
ところで、この第２変形例では、図２９Ａ及び図２９Ｂに示すように、導電性インク吸収体６１とインク保持体８１との当接面間に、金属製の電極部材８３が介装されており、この電極部材８３を介して導電性インク吸収体６１は電圧印加部６５に対して電気的に接続されているが、この理由は次の通りである。導電性を有するとはいえ、導電性インク吸収体６１は樹脂素材であるために、その電気抵抗は金属よりも大きい。このため、導電性インク吸収体６１の一部に電圧印加部６５との接点を設けると、ノズル毎に、それが対面する上面６１ａの部分の電圧値が異なってしまい、その結果として、ノズル毎にインク滴の帯電量が異なってしまう虞があるためである。
【０１２６】
ここでは、この電極部材８３として、ノズル列２１１の全長Ｌ２よりも長い矩形の金属平板たる電極板８３を使用し（図中では電極板８３の長さをＬ３で示す）、ノズル列２１１が導電性インク吸収体６１の上面６１ａと対向状態になった際には、電極板８３の板面は、ノズル列２１１の全ノズルｎ（＃１）〜ｎ（＃１８０）と対向するようになっている。従って、各ノズルｎと対向する導電性インク吸収体６１の各部分に均等に電圧を印加できる結果、インク滴の帯電量がノズル毎にばらつくことは有効に抑えられ、吐出状態の検査精度を良好に維持可能となる。
【０１２７】
なお、図２９Ｂを参照してわかるように、この電極板８３の幅Ｗ３は、導電性インク吸収体６１の上面６１ａの幅Ｗ１よりも幅狭に形成されており、これによって、前記電極板８３の幅方向の両端縁には、導電性インク吸収体６１の内部のインクをインク保持体８１へと導く流路が確保される。よって、導電性インク吸収体６１からのインク保持体８１のインクの吸い取りを、前記電極板８３が阻害することは抑制される。
【０１２８】
＝＝＝液体滴吐出システム１０００等の構成＝＝＝
次に、本発明に係る液体滴吐出システム１０００の一例として、液体滴吐出装置としてのプリンタ１１０６を備えた液体滴吐出システム１０００を例に説明する。
【０１２９】
図３０は、液体滴吐出システム１０００の外観斜視図である。液体滴吐出システム１０００は、コンピュータ本体１１０２と、表示装置１１０４と、プリンタ１１０６と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Cathode Ray Tube：陰極線管）やプラズマディスプレイや液晶表示装置等が用いられるのが一般的であるが、これに限られるものではない。プリンタ１１０６は、上記に説明されたインクジェットプリンタ１が用いられている。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Magnet Optical）ディスクドライブ装置やＤＶＤ（Digital Versatile Disk）等の他のものであっても良い。
【０１３０】
図３１は、図３０に示した液体滴吐出システム１０００の構成を示すブロック図である。コンピュータ本体１１０２が収納された筐体内にＲＡＭ等の内部メモリ１２０２と、ハードディスクドライブユニット１２０４等の外部メモリがさらに設けられている。
【０１３１】
上述したプリンタ１の動作を制御するコンピュータプログラムは、例えばインターネット等の通信回線を経由して、プリンタ１１０６に接続されたコンピュータ本体１１０２等にダウンロードさせることができるほか、コンピュータ本体１１０２による読み取り可能な記録媒体に記録して配布等することもできる。記録媒体としては、例えば、フレキシブルディスクＦＤ、ＣＤ−ＲＯＭ、ＤＶＤ−ＲＯＭ、光磁気ディスクＭＯ、ハードディスク、メモリ等の各種記録媒体を用いることができる。なお、このような記憶媒体に記憶された情報は、各種の読取装置１１１０によって、読み取り可能である。
【０１３２】
なお、以上の説明においては、プリンタ１１０６が、コンピュータ本体１１０２、表示装置１１０４、入力装置１１０８、及び、読取装置１１１０と接続されて液体滴吐出システム１０００を構成した例について説明したが、これに限られるものではない。例えば、液体滴吐出システム１０００が、コンピュータ本体１１０２とプリンタ１１０６から構成されても良く、液体滴吐出システム１０００が表示装置１１０４、入力装置１１０８及び読取装置１１１０のいずれかを備えていなくても良い。また、例えば、プリンタ１１０６が、コンピュータ本体１１０２、表示装置１１０４、入力装置１１０８、及び、読取装置１１１０のそれぞれの機能又は機構の一部を持っていても良い。
【０１３３】
＝＝＝その他の実施の形態＝＝＝
以上、一実施形態に基づき、液体滴吐出検査装置、液体滴吐出装置、及び、液体滴吐出システムについて説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施の形態であっても、本発明に係る液体滴吐出検査装置、液体滴吐出装置、及び、液体滴吐出システムに含まれるものである。
【０１３４】
また、本実施形態において、ハードウェアによって実現されていた構成の一部又は全部をソフトウェアによって置き換えてもよく、逆に、ソフトウェアによって実現されていた構成の一部をハードウェアによって置き換えてもよい。
【０１３５】
また、液体滴吐出装置（インクジェットプリンタ１）側にて行っていた処理の一部をホストコンピュータ１４０側にて行ってよく、また液体滴吐出装置（インクジェットプリンタ１）とホストコンピュータ１４０の間に専用の処理装置を介設して、この処理装置にて処理の一部を行わせるようにしてもよい。
【０１３６】
＜液体滴吐出検査装置６０，８０，８０ａについて＞
前述した実施の形態では、液体滴吐出検査装置６０，８０，８０ａが液体滴吐出装置（インクジェットプリンタ１）に搭載された場合を例に説明したが、何等これに限るものではなく、液体滴吐出検査装置６０，８０，８０ａが液体滴吐出装置から分離して、液体滴の吐出検査のみを独立して実行可能な装置であっても良く、また、前述した液体滴吐出装置以外の他の装置に搭載されても良い。
【０１３７】
＜液体滴吐出装置１について＞
前述した実施の形態では、液体滴吐出装置としてインクジェットプリンタ１を例示したが、液体滴を吐出する装置であれば何等これに限るものではない。
【０１３８】
＜液体滴について＞
前述した実施の形態では、液体滴としてインク滴を例示したが、帯電する液体滴であれば何等これに限るものではない。例えば、金属材料、有機材料（例えば高分子材料）、磁性材料、導電性材料、配線材料、成膜材料、電子インク、各種加工液、遺伝子溶液等の液体滴であっても良い。
【０１３９】
＜液体滴の吐出数について＞
前述した実施の形態では、検査用インク滴の吐出数が一滴の場合を主に説明したが、各ノズルｎから、検査用に、複数のインク滴を連続吐出しても良い。なお、この場合には、一滴の場合と比べて誘導電流の大きさが増大するが、その増大率で、前述の目詰まり閾値Ｆｔｈ及び堆積閾値も拡大変更されるのは言うまでもない。
【０１４０】
＜導電体６１について＞
前述した実施の形態では、導電体として導電性のウレタンスポンジ（導電性インク吸収体６１）を例示したが、ノズルｎから吐出されたインク滴を受ける導電性の部材であれば、何等これに限るものではなく、例えば、金属の棒材や線材、平板あるいはメッシュ等を用いても良い。なお、これら金属素材を用いた場合には、その電気抵抗が低いことから、前述の第２変形例に関して電極部材８３を省略できるというメリットがある。
【０１４１】
＜判定部１２６が誘導電流に基づいて行う判定について＞
前述した実施の形態では、判定部（システムコントローラ１２６）が誘導電流に基づいて行う判定の一例として、堆積物の堆積高さが許容範囲外であるか否かを判定する例を説明したが、何等これに限るものではない。例えば、誘導電流の大きさに基づいて、ノズル列２１１に沿う方向の堆積分布を判定するようにしても良い。すなわち、検出部６３が検出した各ノズルｎに対応する誘導電流の大きさを、図１９の堆積高さと誘導電流のグラフに照らし合わせて各ノズルｎに対応する堆積高さをそれぞれ読み取れば、ノズル列２１１に沿う方向の堆積分布を知ることができる。
【０１４２】
＜有底容器６７の保持部６８ａ，６８ｂについて＞
前述した実施の形態では、導電性インク吸収体６１の保持部としての凸部６８ａ，６８ｂを、有底容器６７の箱体６８の内周の全周に亘って連続させて設け、環状にしたが、何等これに限るものではなく、内周方向の適宜位置で分断させても良い。
【０１４３】
＜インク保持体８１について＞
前述した第２変形例では、インク保持体８１として吸水性ポリマーを例示したが、導電性インク吸収体６１からインクを吸い取って保持する機能を有していれば、何等これに限るものではなく、例えば、導電性インク吸収体６１よりも大きな毛細管力を有する部材を適用しても良い。その素材例としては、ポリエチレンテレフタレート、アクリル、レーヨン等の合成繊維やパルプ等を原料とするフエルト材や、スポンジ等の多孔質材が挙げられるが、インク保持能力に優れている点でフエルト材が好ましい。
【０１４４】
＜電極部材８３について＞
前述の第２変形例では、電極部材として金属平板の電極板８３を例示したが、何等これに限るものではなく、例えば、金属の棒材や線材等を用いても良い。  
また、電極部材８３の配置位置としては、導電性インク吸収体６１とインク保持体８１との当接面間に限るものではない。例えば、図３２に示すように導電性インク吸収体６１の内部に埋設しても良いし、図３３に示すように導電性インク吸収体６１の上面６１ａに載置しても良い。但し、この上面６１ａに載置するのは、電極部材８３上にインクが滞留する虞があるため得策ではない。
【図面の簡単な説明】
【０１４５】
【図１】インクジェットプリンタ１の外観斜視図である。
【図２】プリンタ１の内部構成を示す図である。
【図３】プリンタ１の搬送部を示す断面図である。
【図４】プリンタ１のシステム構成を示すブロック図である。
【図５】ヘッド２１の下面に設けられたノズルｎの配列図である。
【図６】駆動回路２２０の説明図である。
【図７】原駆動信号発生部２２１の動作を示す原信号ＯＤＲＶ、印刷信号ＰＲＴ（ｉ）、駆動信号ＤＲＶ（ｉ）のタイミングチャートである。
【図８】ＰＧ調整機構９０の駆動伝達部９２の周辺の斜視図である。
【図９】駆動伝達部９２のギアの噛み合い状態を示す側面図である。
【図１０】ガイドレール４６を上下昇降させる機構の斜視図である。
【図１１】ＰＧ変更カム９４周辺の構造の正面図である。
【図１２】印刷動作の処理手順の一例を示すフローチャートである。
【図１３】プリンタ１内における液体滴吐出検査装置６０の配置図である。
【図１４Ａ】液体滴吐出検査装置６０の縦断面図である。
【図１４Ｂ】図１４Ａ中のＢ−Ｂ断面図である。
【図１４Ｃ】導電性インク吸収体６１に生じる誘導電流の説明図である。
【図１５】検査の全体の流れを示すフローチャートである。
【図１６】吐出状態の検査手順のフローチャートである。
【図１７】図１７Ａは、導電性インク吸収体６１の上面６１ａの堆積物が吐出状態の検査精度へ及ぼす影響を説明するための縦断面図であり、図１７Ｂは、図１７Ａ中のＢ−Ｂ断面図である。
【図１８】図１８Ａ及び図１８Ｂは、それぞれ、堆積状態の検査原理の説明図である。
【図１９】堆積高さと誘導電流の関係のグラフである。
【図２０】堆積物の検査手順のフローチャートである。
【図２１】図２１Ａは、（１）の軽減化処理を説明するための液体滴吐出検査装置６０の縦断面図であり、図２１Ｂは、図２１Ａ中のＢ−Ｂ断面図である。
【図２２】図２２Ａは、（１）の軽減化処理を説明するための液体滴吐出検査装置６０の縦断面図であり、図２２Ｂは、図２２Ａ中のＢ−Ｂ断面図である。
【図２３】（３）の軽減化処理を説明するための液体滴吐出検査装置６０の縦断面図である。
【図２４】（４）の軽減化処理を説明するための液体滴吐出検査装置６０の縦断面図である。
【図２５】（５）の軽減化処理を説明するための液体滴吐出検査装置６０の縦断面図である。
【図２６】（６）の軽減化処理を説明するための誘導電流の波形図である。
【図２７Ａ】（８）の軽減化処理を説明するための液体滴吐出検査装置６０の縦断面図である。
【図２７Ｂ】（８）の軽減化処理を説明するための液体滴吐出検査装置６０の縦断面図である。
【図２７Ｃ】（８）の軽減化処理を説明するための誘導電流の波形図である。
【図２８Ａ】第１変形例に係る液体滴吐出検査装置８０の縦断面図である。
【図２８Ｂ】図２８Ａ中のＢ−Ｂ断面図である。
【図２９Ａ】第２変形例の液体滴吐出検査装置８０ａの縦断面図である。
【図２９Ｂ】図２９Ａ中のＢ−Ｂ断面図を示す。
【図３０】本実施形態に係る液体滴吐出システム１０００の外観斜視図である。
【図３１】前記液体滴吐出システム１０００の構成を示すブロック図である。
【図３２】第２変形例に係る電極部材８３の他の配置例を示す断面図である。
【図３３】第２変形例に係る電極部材８３の他の配置例を示す断面図である。
【符号の説明】
【０１４６】
１  インクジェットプリンタ、  ２  操作パネル、  ３  排紙部、  ４  給紙部、
５  操作ボタン、  ６  表示ランプ、  ７  排紙トレー、  ８  給紙トレー、
１１Ａ  紙挿入口、  １１Ｂ  ロール紙挿入口、
１３  給紙ローラ、  １４  プラテン、  １５  紙送りモータ、
１７Ａ  搬送ローラ、  １７Ｂ  排紙ローラ、
１８Ａ、フリーローラ、１８Ｂ  フリーローラ、
２１  ヘッド、  ２１１  ノズル列、  ２２  ヘッドドライバ、  
３０  クリーニングユニット、  ３１  ポンプ装置、  ３５  キャッピング装置、
４１  キャリッジ、  ４２  キャリッジモータ、４４  プーリ、
４５  タイミングベルト、  ４６  ガイドレール、
４８  インクカートリッジ、  ５１  リニア式エンコーダ、
６０  液体滴吐出検査装置、６１  導電性インク吸収体、
６１ａ  上面、６１ｂ  下面、６３  検出部、
６５  電圧印加部、６５ａ  変圧器、６７  有底容器、６８  箱体、６８ａ  凸部、
６９  遮蔽部材、
８０  液体滴吐出検査装置、８０ａ  液体滴吐出検査装置、
８１  インク保持体、８１ａ  上面、８３  電極板、
９０  ＰＧ調整機構、９１  モータ、９２  駆動伝達部、９３  ガイドレールギア、
９４  ＰＧ変更カム、９５  固定ピン、９６  案内溝、
１２２  バッファメモリ、  １２４  イメージバッファ、
１２６  システムコントローラ、  １２７  メインメモリ、
１２８  キャリッジモータ制御部、  １２９  ＥＥＰＲＯＭ、
１３０  搬送制御部、  １３２  ヘッド駆動部、
１３４  ロータリ式エンコーダ、  １３６  リニア式エンコーダ、
１４０  ホストコンピュータ、２１１  ノズル列、
２２０  駆動回路、  ２２１  原駆動信号発生部、  ２２２  マスク回路、
１０００  液体滴吐出システム、１１０２  コンピュータ本体、１１０４  表示装置、
１１０６  プリンタ、１１０８  入力装置、
１１０８Ａ  キーボード、１１０８Ｂ  マウス、
１１１０  読取装置、１１１０Ａ  フレキシブルディスクドライブ装置、
１１１０Ｂ  ＣＤ−ＲＯＭドライブ装置、１２０２  内部メモリ、
１２０４  ハードディスクドライブユニット、
Ａｐ  印刷エリア、  Ａｎ  非印刷エリア、
Ｓ  媒体、Ｒ１  保護抵抗、  Ｒ２  入力抵抗、  Ｒ３  帰還抵抗、
Ｃ  コンデンサ、  Ａｍｐ  オペアンプ、ｎ  ノズル、
ＣＰ  検査ポジション、ＣＰ１  第１検査ポジション、ＣＰ２  第２検査ポジション
【図１】
2007030427.tif 000003
【図２】
2007030427.tif 000004
【図３】
2007030427.tif 000005
【図４】
2007030427.tif 000006
【図５】
2007030427.tif 000007
【図６】
2007030427.tif 000008
【図７】
2007030427.tif 000009
【図８】
2007030427.tif 000010
【図９】
2007030427.tif 000011
【図１０】
2007030427.tif 000012
【図１１】
2007030427.tif 000013
【図１２】
2007030427.tif 000014
【図１３】
2007030427.tif 000015
【図１４Ａ】
2007030427.tif 000016
【図１４Ｂ】
2007030427.tif 000017
【図１４Ｃ】
2007030427.tif 000018
【図１５】
2007030427.tif 000019
【図１６】
2007030427.tif 000020
【図１９】
2007030427.tif 000021
【図２０】
2007030427.tif 000022
【図２６】
2007030427.tif 000023
【図２７Ｃ】
2007030427.tif 000024
【図２８Ａ】
2007030427.tif 000025
【図２８Ｂ】
2007030427.tif 000026
【図２９Ａ】
2007030427.tif 000027
【図２９Ｂ】
2007030427.tif 000028
【図３０】
2007030427.tif 000029
【図３１】
2007030427.tif 000030
【図３２】
2007030427.tif 000031
【図３３】
2007030427.tif 000032
【図１７】
2007030427.tif 000033
【図１８】
2007030427.tif 000034
【図２１】
2007030427.tif 000035
【図２２】
2007030427.tif 000036
【図２３】
2007030427.tif 000037
【図２４】
2007030427.tif 000038
【図２５】
2007030427.tif 000039
【図２７Ａ】
2007030427.tif 000040
【図２７Ｂ】
2007030427.tif 000041